(57)【特許請求の範囲】
【請求項１】
空調機から送給される空調空気を導入する筒状のネック部及び前記ネック部に接続された円錐形状若しくは角錐形状の本体部を有する外コーンと、前記外コーンの内側にステーを介して着脱可能に装着された気流制御手段と、前記ネック部内を通過する空調空気を浄化する空気浄化手段と、を備え、
前記ステー上に着脱可能な円環状のフレーム材に前記空気浄化手段を取り付け、前記フレーム材の下面に設けられた複数のＬ字状の連結具若しくはコ字状の把持具を、ネジを用いて前記ステーに固定することにより、前記空気浄化手段を前記ステーに着脱可能に取り付けたことを特徴とするアネモ型吹出し口。
【請求項２】
前記空気浄化手段が前記フレーム材に着脱可能に取り付けられた請求項１記載のアネモ型吹出し口。
【請求項３】
前記ネック部の内周と前記空気浄化手段との隙間を閉塞する気密部材を設けた請求項１または２記載のアネモ型吹出し口。
【請求項４】
前記空気浄化手段の浄化能力が、前記外コーンのネック部より上流側に配置された他の空気清浄手段の浄化能力より高い請求項１〜３のいずれかに記載のアネモ型吹出し口。
【発明の詳細な説明】
【技術分野】
【０００１】
本発明は、空調機で形成された空調空気を室内に向かって供給するため、建物の天井部分などに配置されるアネモ型吹出し口に関する。
【背景技術】
【０００２】
アネモ型吹出し口は、空調機から送給される空調空気を導入する筒状のネック部及びネック部に接続された円錐形状若しくは角錐形状の本体部を有する外コーンと、外コーンの内側にステーを介して着脱可能に装着された気流制御手段と、を備え、吹き出した空調空を室内（被空調空間）の多方向に広く拡散させることができるので、空調設備の構成部材として、広く使用されている。
【０００３】
従来の空調設備として、例えば、図１６に示すものがある。この空調設備は、建物９０の天井９１部分に配置された吸気口９２と、吸気口９２からダクト９３を経由して吸い込んだ被空調空間Ｒ内の空気及び建物９０の外部から外気導入経路９８を経由して吸い込んだ外気を混合して温度調整する空調機９４と、空調機９４からダクト９５を経由して送給される空調空気を被空調空間Ｒ内に向かって吹き出すため天井９１部分に配置されたアネモ型吹出し口９６と、を備えている。
【０００４】
空調機９４には、建物９０の種類、用途に応じて選定されたフィルタ９７が装着され、外気用導入経路９８にも、同様に、捕集する対象に応じて選定されたフィルタ（図示せず）が配置されている。
【０００５】
一方、アネモ型吹出し口については、従来、様々な工夫や提案がなされているが、本願発明に関連するものとして、例えば、特許文献１に記載された天井取付用吹出口がある。
【先行技術文献】
【特許文献】
【０００６】
【特許文献１】実公平５−１７５４３号公報
【発明の概要】
【発明が解決しようとする課題】
【０００７】
図１６に示すアネモ型吹出し口９１あるいは特許文献１に記載されているアネモ型吹出し口は、空調機９４から供給される空調空気を被空調空間Ｒ内に向かって吹き出す機能を有しているが、それ自体には空気清浄機能がないので、被空調空間Ｒに向かって吹き出された空調空気の清浄度は空調機９４からダクト９５を経由して供給される空調空気の清浄度と同等である。このため、従来のアネモ型吹出し口９１から吹き出される空調空気の清浄度は、空調機９４に装着されているフィルタ９７の浄化能力によって左右される。
【０００８】
従って、空調機９４に装備されているフィルタ９７などによって捕集されない塵埃や不純物などを含んだ空調空気がそのまま被空調空間Ｒに供給されることがあり、例えば、病院や医院などの医療施設あるいは養護施設などおいて、空調機９４に装着されたフィルタ９７が室内に浮遊する細菌やウィルスなどを捕集できない場合、これらを含んだ空調空気が被空調空間Ｒに供給されることがある。
【０００９】
また、地震や津波などの自然災害で被害を受けた原子力発電所から大気中に拡散する可能性のある放射性物質などの有害物質は、図１６に示すような従来の空調設備では捕集することが困難であるので、近年、このような有害物資が被空調空間内に侵入するのを防止する機能を備えた空調設備が求められている。
【００１０】
本発明が解決しようとする課題は、空調機から送給される空調空気を清浄化して被空調空間内へ吹き出す機能を有し、空気浄化手段の点検が容易であり、既設のアネモ型吹出し口への部材付加によって形成することも可能なアネモ型吹出し口を提供することにある。
【課題を解決するための手段】
【００１１】
本発明のアネモ型吹出し口は、空調機から送給される空調空気を導入する筒状のネック部及び前記ネック部に接続された円錐形状若しくは角錐形状の本体部を有する外コーンと、前記外コーンの内側にステーを介して着脱可能に装着された気流制御手段と、前記ネック部内を通過する空調空気を浄化する空気浄化手段と、を備え、
前記ステー上に着脱可能な円環状のフレーム材に前記空気浄化手段を取り付け、前記フレーム材の下面に設けられた複数のＬ字状の連結具若しくはコ字状の把持具を、ネジを用いて前記ステーに固定することにより、前記空気浄化手段を前記ステーに着脱可能に取り付けたことを特徴とする。
【００１２】
このような構成とすれば、空調機から送給され、ネック部に導入された空調空気は、ネック部を通過する際に空気浄化手段によって浄化されるため、空調空気を清浄化して被空調空間へ吹き出すことができる。また、外コーンに着脱可能に装着される前記気流制御手段のステーに空気浄化手段を着脱可能に取り付けたことにより、空気浄化手段は外コーンとともに前記気流制御手段から離脱させることができるため、空気浄化手段の点検も容易である。
【００１３】
さらに、従来のアネモ型吹出し口の必須構成部材である、気流制御手段のステーに空気浄化手段を着脱可能に取り付けた構造であるため、既設のアネモ型吹出し口を構成する気流浄化手段のステーに前記空気浄化手段を付加することによって本発明に係るアネモ型吹出し口を形成することも可能である。
【００１４】
ここで、本発明のアネモ型吹出し口においては、前記ステー上に着脱可能に取り付けられた円環状のフレーム材に前記空気浄化手段を取り付けている。
【００１５】
アネモ型吹出し口において、中コーンなどの気流制御手段は、通常、ネック部内に設けられた突起などの係合部で保持されるので、ステーはネック部内に位置している。従って、前述のように、ステー上に着脱可能に取り付けられた円環状のフレーム材に空気浄化手段を取り付ければ、当該空気浄化手段は必然的にネック部内に位置することとなるため、ネック部を通過する空調空気を確実に浄化することができるほか、空気浄化手段を安定保持することができ、空気浄化手段の交換作業も容易となる。また、空調機器業界内で規格化されたネック部の内径に応じてフレーム材の外径寸法を規格化することも可能となるため、汎用性の向上に有効である。
【００１６】
また、前記空気浄化手段が前記フレーム材に着脱可能に取り付けられていることが望ましい。
【００１７】
このような構成とすれば、定期的もしくは浄化能力が減衰する度に行う必要がある空気浄化手段の交換やメンテナンスなどの作業を容易化することができる。
【００１８】
さらに、前記ネック部の内周と前記空気浄化手段との隙間を閉塞する気密部材を設けることが望ましい。
【００１９】
このような構成とすれば、空調空気が、空気浄化手段を通過せずにそのまま被空調空間へ漏洩するのを防止することができるため、空気清浄化機能の向上に有効である。
【００２０】
一方、前記空気浄化手段の浄化能力が、前記外コーンのネック部より上流側に配置された他の空気清浄手段の浄化能力より高いことが望ましい。ここで、浄化能力が高いとは、より微細な塵埃や不純物を捕集する能力、特定の物質を捕集する能力に優れていることをいう。
【００２１】
このような構成とすれば、外コーンのネック部より上流側に配置された他の空気清浄手段、例えば、空調機や外気導入経路などに備え付けられているフィルタなどによって捕集することができなかった塵埃、不純物あるいは特定物質などを当該空気浄化手段で捕集することが可能となるため、被空調空間へ供給される空調空気の清浄度をさらに高めることができる。
【発明の効果】
【００２２】
本発明により、空調機から送給される空調空気を清浄化して被空調空間内へ吹き出す機能を有し、空気浄化手段の点検が容易であって、既設のアネモ型吹出し口への部材付加によって形成することも可能なアネモ型吹出し口を提供することができる。
【図面の簡単な説明】
【００２３】
【図１】本発明の実施形態であるアネモ型吹出し口を示す斜視図である。
【図２】図１に示すアネモ型吹出し口を天井部分に取り付けた状態を示す垂直断面図である。
【図３】図１に示すアネモ型吹出し口において外コーンと中コーンとを分離した状態を示す斜視図である。
【図４】図１に示すアネモ型吹出し口を構成する中コーン及び空気浄化手段を示す斜視図である。
【図５】図４に示す中コーン及び空気浄化手段の平面図である。
【図６】図４に示す中コーン及び空気浄化手段の分解斜視図である。
【図７】ステーに対する取付構造を示す一部省略斜視図である。
【図８】図７の矢線Ａ方向から見た一部省略図である。
【図９】（ａ）は図６に示す空気浄化手段、フレーム材及び気密部材の平面図であり、（ｂ）は同じくフレーム材及び気密部材の平面図であり、（ｃ）は同じく中コーンの平面図である。
【図１０】図５に示す中コーンから空気浄化手段を取り外した状態を示す平面図である。
【図１１】ステーに関するその他の実施形態を示す一部省略斜視図である。
【図１２】図１１の矢線Ｂ方向から見た一部省略図である。
【図１３】ステーに対するフレーム材の連結構造に関するその他の実施形態を示す斜視図である。
【図１４】図１３に示す中コーン及びフレーム材の分解斜視図である。
【図１５】図１に示すアネモ型吹出し口を用いた空調設備を示す図である。
【図１６】従来のアネモ型吹出し口を用いた空調設備を示す図である。
【発明を実施するための形態】
【００２４】
以下、図面に基づいて、本発明の実施の形態について説明する。図１〜図３に示すように、本実施形態のアネモ型吹出し口１００は、建物の天井２１部分に配置され、空調機（図示せず）からダクト２０を経由して送給される空調空気を導入するための円筒状のネック部１１及びネック部１１に接続された円錐形状の本体部１２を有する外コーン１０と、外コーン１０の本体部１２と略相似形状をなす複数のコーン５１，５２を有し外コーン１０の内側に連結手段６０を介して着脱可能に装着される気流制御手段である中コーン５０と、を備え、ネック部１１を通過する空調空気を浄化する空気浄化手段３０がフレーム材４０を介してステー６０上に着脱可能に取り付けられている。
【００２５】
図４〜図８に示すように、連結手段６０として、中コーン５０のコーン５１の上流側の開口部５１ａに、その中心に配置された軸体５３から半径方向に放射状に延設された複数のステー６１が設けられ、これらのステー６１上に空気浄化手段３０がフレーム材４０を介して着脱可能に取り付けられている。複数のステー６１は平板材で形成され、それぞれの面方向が空調空気の流動方向と平行をなすように配置されている。本実施形態では３個のステー６１が軸体５３の周りに１２０度間隔で配置されているが、これに限定するものではない。
【００２６】
複数のステー６１の外縁部分にはそれぞれ、略Ｌ字状の係止孔６２を有する板状の係止部６３が形成されている。図３に示すように、外コーン１０のネック部１１の内周の下縁寄りの部分に、複数のステー６１と同位相で設けられた突起部１３に対し、係止部６３の係止孔６２を係合、離脱させることにより、外コーン１０に対する中コーン５０の装着、離脱を行うことができる。
【００２７】
図２，図６，図９及び図１０に示すように、空気浄化手段３０は、ネック部１１内に位置するステー６１上に取り付けられた円環状のフレーム材４０に着脱可能に取り付けられている。フレーム材４０は、ドーナツ円板状の支持部４３と、支持部４３の上面に立設された円形のリブ４４と、を備え、支持部４３の下面に複数のステー６１と同位相で固着された複数のコ字状の把持具４１で各ステー６１の上縁部分を把持し、把持具４１に螺着された蝶ネジ４２でステー６１を押圧することにより、ステー６１上に着脱可能に固定されている。
【００２８】
フレーム材４０は、支持部４３の上面に立設された円形のリブ４４によって内周側と外周側とに区画され、リブ４４の内周側に空気浄化手段３０が着脱可能に取り付けられ、リブ４４の外周側に、外コーン１０のネック部１１の内周と空気浄化手段３０との隙間を閉塞する気密部材７０が取り付けられている。
【００２９】
なお、中コーン５０のステー６１の個数や配置間隔が本実施形態と異なる場合に対するフレーム材４０の取付適応性を高めるため、複数の把持具４１を支持部４３の下面に固着しない構造、例えば、支持部４１下面の任意の位置に複数の把持具４１が着脱可能に固定できる構造、あるいは各把持具４１の固定位置が把持具４１の円周方向に沿って移動可能な構造などを採用することもできる。
【００３０】
図２に示すように、アネモ型吹出し口１００においては、空調機（図示せず）からダクト２０を経由して送給され、ネック部１１に導入された空調空気は、ネック部１１を通過する際に空気浄化手段３０によって浄化され被空調空間Ｒへ吹き出される。従って、空調機などに備え付けられたフィルタなどで浄化された空調空気をさらに清浄化して被空調空間Ｒへ吹き出すことができる。また、外コーン１０に対し中コーン５０を着脱可能に取り付けるステー６１に空気浄化手段３０が取り付けられているため、空気浄化手段３０の点検などの際には、外コーン１０から中コーン５０とともに空気浄化手段３０を離脱させることができ、点検作業が容易である。
【００３１】
さらに、アネモ型吹出し口１００は、従来のアネモ型吹出し口の必須構成部材である、中コーン５０のステー６１に、フレーム材４０を介して空気浄化手段３０を着脱可能に取り付けた構造であるため、既設のアネモ型吹出し口にフレーム材４０及び空気浄化手段３０などを付加することによって形成することもできる。また、空調機器業界内で規格化されたネック部１１の内径に応じてフレーム材４０の外径寸法を規格化することにより、汎用性を向上させることができる。
【００３２】
一方、中コーン５０のコーン５１上流側の開口部５１ａの中心に配置された軸体５３から半径方向に放射状に延設された複数のステー６１上に、フレーム材４０及び空気浄化手段３０を取り付けた構造としたことにより、従来のアネモ型吹出し口の必須構成部材であるステー６１を利用して空気浄化手段を取り付けることが可能となるため、汎用性にも優れている。
【００３３】
なお、ステーについては図７，図８に示すステー６１に限定しないので、例えば、丸棒状のステー（図示せず）あるいは図１１，図１２に示すように、軸体（図示せず）から半径方向に放射状に延設された四角柱状若しくは四角筒形状のステー６４に、蝶ネジ４２付きの把持具４１を介してフレーム材４０（図６参照）を取り付けることもできる。
【００３４】
また、空気浄化手段３０は、ステー６１上に取り付けられた円環状のフレーム材４０に着脱可能に取り付けられているため、空気浄化手段３０を安定保持することができ、空気浄化手段３０の交換作業も容易である。
【００３５】
さらに、外コーン１０のネック部１１の内周と空気浄化手段３０との隙間を閉塞する気密部材７０を設けたことにより、空調機から送給された空調空気が空気浄化手段を通過することなくそのまま被空調空間へ漏洩するのを防止することができるため、空気清浄化機能の向上に有効である。
【００３６】
なお、空気浄化手段３０は限定しないので、施工条件、必要とする清浄度などに適したものを使用することができるが、空気浄化手段３０の浄化能力が、外コーン１０のネック部１１より上流側に配置された別の空気清浄手段より高いことが望ましい。
【００３７】
次に、図１３，図１４に基づいて、ステー６１に対するフレーム材４０の連結構造に関するその他の実施形態について説明する。なお、図１３，図１４に示す連結構造において図４に示す連結構造の構成部分と共通する部分については図４中の符号と同符号を付して説明を省略する。
【００３８】
図１３，図１４に示す実施形態においては、フレーム材４０の支持部４３の下面に、断面Ｌ字状をした複数の連結具４５が、複数のステー６１と同位相に固着されている。連結具４５の垂下部４５ａにはそれぞれ複数の貫通孔４６が開設されている。ステー６１上にフレーム材４０を載置し、各ステー６１に開設された複数のネジ孔６５と、連結具４５の貫通孔４６とを一致させた後、貫通孔４６からネジ孔６５に向かってネジ４７を螺着させることによって、フレーム材４０をステー６１上に取り付けることができる。
【００３９】
次に、図１５に基づいて、図１に示すアネモ型吹出し口１００を用いた空調設備について説明する。図１５に示す空調設備は、建物２２の天井２１部分に配置された吸気口２３と、吸気口２３からダクト２４を経由して吸い込んだ被空調空間Ｒ内の空気及び建物２２の外部から吸い込んだ外気とを混合して温度調整する空調機２５と、空調機２５からダクト２０を経由して送給される空調空気を被空調空間Ｒ内に向かって吹き出すため天井２１部分に配置されたアネモ型吹出し口１００と、を備えている。アネモ型吹出し口１００のネック部１１内に位置する空気浄化手段３０は、空調機２５に装備されているフィルタ２６（例えば、粗塵フィルタや中性能・高性能フィルタなど）より浄化能力の高いもの（例えば、ＨＥＰＡフィルタや活性炭フィルタなど）が使用されている。
【００４０】
このような構成とすれば、空調機２５に装備されているフィルタ２６などによって捕集されない塵埃や不純物などを空気浄化手段３０で捕集し、清浄化された空調空気を被空調空間Ｒ内へ供給することができる。従って、被空調空間Ｒ内から吸い込んだ空気中や建物２２外から吸い込んだ外気中に含まれる塵埃、不純物あるいは有害物質などがアネモ型吹出し口１００から被空調空間Ｒ内に供給されるのを防止することができる。
【００４１】
また、空気浄化手段３０として、ウィルス捕集能力を有するもの、あるいは放射性物質捕集能力を有するものを使用すれば、ウィルスや放射性物資がアネモ型吹出し口１００から被空調空間Ｒ内へ供給されるのを防止することができるので、室内（被空調空間Ｒ内）の空気環境を向上させることができる。
【産業上の利用可能性】
【００４２】
本発明のアネモ型吹出し口は、オフィスビル、病院、学校あるいは工場建屋などの各種建設物に配備される空調設備の構成資材として広く利用することができる。
【符号の説明】
【００４３】
１０  外コーン
１１  ネック部
１２  本体部
１３  突起部
２０，２４  ダクト
２１  天井
２２  建物
２３  吸気口
２５  空調機
２６  フィルタ
３０  空気浄化手段
４０  フレーム材
４１  把持具
４２  蝶ネジ
４３  支持部
４４  リブ
４５  連結具
４５ａ  垂下部
４６  貫通孔
４７  ネジ
５０  中コーン
５１，５２  コーン
５３  軸体
６０  連結手段
６１  ステー
６２  係止孔
６３  係止部
６５  ネジ孔
７０  気密部材
１００  アネモ型吹出し口
Ｒ  被空調空間
【図１】
0005851183.tif 000002
【図２】
0005851183.tif 000003
【図３】
0005851183.tif 000004
【図４】
0005851183.tif 000005
【図５】
0005851183.tif 000006
【図６】
0005851183.tif 000007
【図７】
0005851183.tif 000008
【図８】
0005851183.tif 000009
【図９】
0005851183.tif 000010
【図１０】
0005851183.tif 000011
【図１１】
0005851183.tif 000012
【図１２】
0005851183.tif 000013
【図１３】
0005851183.tif 000014
【図１４】
0005851183.tif 000015
【図１５】
0005851183.tif 000016
【図１６】
0005851183.tif 000017